(57)【要約】【課題】ペットボトルに装着されているラベルを吊下げ紐として利用できるようにしたペットボトルを提供する。【解決手段】ラベル３を胴部１１に装着させたペットボトルにおいて、ラベル３は紐状態に引き伸ばし可能な程度に横方向の伸長率が大きい樹脂素材で形成され、かつリング状の状態でペットボトル１の胴部１１に抜き取り可能に装着されている。【選択図】図１
2007197066.tif 000002
【特許請求の範囲】
【請求項１】
ラベルを胴部に装着させたペットボトルにおいて、
上記ラベルは紐状態に引き伸ばし可能な程度に横方向の伸長率が大きい樹脂素材で形成され、かつリング状の状態で上記ペットボトルの胴部に抜き取り可能に装着されていることを特徴とするペットボトル。
【請求項２】
請求項１において、
上記ラベルは、紐状態に引き伸ばされた状態で上記ペットボトルのネック部分に掛け止めされる、吊下げ紐を構成しているペットボトル。
【請求項３】
請求項１において、
上記ペットボトルは、そのネック部分に鍔部が形成されており、上記ラベルは紐状態に引き伸ばされた状態で上記鍔部の下方に掛け止めされる、吊下げ紐を構成しているペットボトル。
【請求項４】
請求項１または２において、
上記ラベルは、紐状に引き伸ばされたときに、判読可能な状態に拡大される、宣伝情報、懸賞情報などの営業販促情報を縮小印刷していることを特徴とするペットボトル。
【発明の詳細な説明】
【技術分野】
【０００１】
本発明は、ラベルを吊下げ紐として使用できる新規なペットボトルに関する。
の改良に関する。
【背景技術】
【０００２】
近時、ジュース、コーラ、お茶などの飲み物は、アルミ缶やスチール缶などに代わって、ペットボトルに収容され販売されるものが増えており、このようなペットボトルには、商品名、商品情報などを印刷したラベルが胴部に装着されている。下記特許文献１には、ラベルをペットボトルに装着する際の挿入不良やシワの発生などの問題を生じさせないように、伸縮性のあるストレッチラベルが開示されている。
【０００３】
しかしながら、このようなペットボトルは、飲み残しがあると、ペットボトルを手で持ったり、かばんなどに入れて持ち歩く必要があり、とりわけ、イベント会場、競馬場やカーレース場などでは手が塞がってしまい不便であった。
【０００４】
このため、従来では、掛け紐を備えたペットボトル用ホルダが考案されており、それを首に掛けたり、腰などに引っ掛けて使用している。
【特許文献１】特開２００２−１５６９０７号公報
【発明の開示】
【発明が解決しようとする課題】
【０００５】
ところが、ペットボトル入りの飲み物の購入を予め想定して、専用のホルダを準備しておくことは面倒な上に、ほとんど不可能であり、改善が望まれている。
【０００６】
本発明は、このような問題を解決するために提案され、ペットボトル入りの飲み物を購入した時点で、簡単にラベルを取り外して吊下げ紐として使用できるようにした新規なペットボトルを提供することを目的とする。
【課題を解決するための手段】
【０００７】
上記目的を達成するため、本発明の請求項１で提案するペットボトルは、ラベルは紐状態に引き伸ばし可能な程度に横方向の伸長率が大きい樹脂素材で形成され、かつリング状の状態で上記ペットボトルの胴部に抜き取り可能に装着されていることを特徴としている。
【０００８】
請求項２では、請求項１において、ラベルは、紐状態に引き伸ばされた状態で上記ペットボトルのネック部分に掛け止めされる、吊下げ紐を構成しており、  請求項３では、請求項１において、ペットボトルは、そのネック部分に鍔部が形成されており、上記ラベルは紐状態に引き伸ばされた状態で上記鍔部の下方に掛け止めされる、吊下げ紐を構成している。
ここに、ネック部分は、ボトルとキャップとの境目やキャップの基部（キャップを外したときに、ボトル側に残る部分）であってもよい。キャップの一部に切り込みやフックを形成して、そこに紐を係止してもよい。
【０００９】
請求項４では、請求項１または２において、ラベルは、紐状に引き伸ばされたときに、判読可能な状態に拡大される、宣伝情報、懸賞情報などの営業販促情報を縮小印刷している。この態様では、営業販促情報、それ自体を縮小印刷する他、営業販促情報の周囲にノイズ情報を加えて、縮小時は営業販促情報を判読できないようにしておき、引き伸ばしたときに、ノイズ情報と分離して判読できる構成にしてもよい。
【発明の効果】
【００１０】
本発明によれば、以下の効果を奏する。
【００１１】
請求項１によれば、ペットボトルの胴部には、紐状態に引き伸ばし可能に横方向に伸長率の大きい樹脂素材で形成され、かつペットボトルから抜き出し可能に装着されたラベルを備えているので、そのラベルを胴部から抜き取り、横方向に紐状態に引き伸ばし、その一端をボトルのネック部などに結んだり、掛け止めすれば、吊り下げ紐として使用できる。
【００１２】
請求項２、３によれば、ラベルを引き伸ばし紐状態にしてからペットボトルのネック部分に掛け止めするだけで吊り下げ紐として構成でき、肩、首、ベルトなどに取付けることができ、ペットボトルを手で保持する必要がない。
特に、請求項３によれば、ペットボトルのネック部分には鍔部が形成されているので、紐状態に引き伸ばされたラベルがネック部分から不用意に脱落することも防止され、安全である。
【００１３】
請求項４によれば、ラベルを引き伸ばす前には縮小されて判読できないが、ラベルが紐状に引き伸ばされたときに、広告情報や懸賞情報などの営業販促情報が判読可能に拡大して出現する。したがって、新規な広告方法が実現でき、スポンサーに対して広告料を徴収することもできる。
【発明を実施するための最良の形態】
【００１４】
以下に、本発明の実施の形態について説明する。
【実施例１】
【００１５】
図１は、本発明のペットボトルの外観構成の一例を示す図である。
ペットボトル１は、図１（ａ）に示すように、ボトル本体１０の胴部１１にラベル３を装着させており、このラベル３は、ペットボトル１の胴部１１に装着した状態では、リング状の形状をしている。
このようなラベル３は、長方形のラベル３の両端を接着して重合接合部３１を形成しており、リング状に形成されて、ペットボトル１の胴部１１に装着されるが、購入者がラベル３をペットボトル１の上部より抜き取り、横方向に引き延ばせば、図１（ｂ）に示すように、ループ状の吊下げ紐４となる。
【００１６】
ラベル３は、横方向に紐状態に引き伸ばすため、横方向の伸長率が大きい柔軟な樹脂素材で構成され、その表面には、営業販促情報４１が縮小印字されている。ここに、ラベル３は紐状に引き伸ばしても切断しない丈夫なものが望まれるが、首掛け時の安全を考慮した場合には、ある程度の外力が加わったときに、重合接合部１１で分断されるようにしておくことが望ましい。
【００１７】
また、営業販促情報４１は、ラベル３をペットボトル１の胴部１１に取り付けた状態では判読できないように縮小された文字や絵などを印刷して構成されており、ラベル３を横方向に引き延ばせば、拡大して判読できるようになる。
【００１８】
図１（ｂ）では、懸賞情報として「Ａ賞当たり」の文字が印刷されているが、製造業者、サービス業者、販売業者の広告宣伝情報や、商標、商号を印刷してあってもよい。
このようにして、ラベル３に営業販促情報４１を縮小した状態で印刷し、紐状に引き伸ばしたときに拡大されて判読できるようにすれば、新規な広告宣伝方法を実現できる。そのため、ラベル３は、広告スポンサーに対して宣伝媒体として利用できる。なお、２はキャップであり、２１は取り外し可能な蓋体、２２は開栓時に蓋体２１と切断され分離して、ボトル１側に残される基部を示している。
【００１９】
紐状態に引き伸ばされたラベル３は、ボトル１の一部に結び止めしたり、後述するようにネック部に掛け止めしたりすれば、そのまま吊下げ紐４として利用できるが、ボトル１や、キャップ２の基部２１などにフックや孔部を形成して（不図示）、そこに結びとめしたり、掛け止め出来るようにしてもよい。
【００２０】
図２の（a）〜（ｃ）は、ループ状の紐状態に引き伸ばしたラベルを、吊り下げ紐として、ボトルのネック部分に掛け止めする要領を示している。
このものでは、ループ状の紐状態に引き伸ばされた吊り下げ紐４の一方のループ端４２を、ボトル１のネック部１２に形成された鍔部１４の下方に巻き付け、そのループ端４２に他方のループ端４３を挿通させることで、鍔部１４の下方に掛け止めしており、このようにして掛け止めした吊り下げ紐４の他方のループ端４３を、図５、図６に示したように、首や腰に掛ければ、ボトル１の自重によって掛け止め部分は、ネック部分１３を締め付け、吊り下げ紐４は鍔部１５によってスッポ抜けを阻止するので、ボトル１が抜け落ちることもない。
なお、１３は、キャップを螺合させ閉栓するためのネジ部である。
【００２１】
図３は、ループ状の紐状態に引き伸ばしたラベルを、吊り下げ紐として、ボトルのネック部分に掛け止めする別の態様を示している。
【００２２】
この例では、ボトル１のネック部分１２には、紐孔１４ｂを設けた鍔部１４を形成しており、図２の要領で鍔部１４の下方に掛け止めされた吊り下げ紐４を、鍔部１４の導入口１４ａから係止孔１４ｂに嵌め込むことによって、吊り下げ紐４の回動を防止し、それによって、ネック部１２の掛け止め部が不用意に解けて、ボトル１が抜け落ちるのを防止しており、より抜け落ち防止効果の高い構造になっている。吊り下げ紐４の他方のループ端４３は、図２のものと同様に首や腰に掛けて使用する。
【００２３】
図４は、鍔部１６に結び止め孔１６ａを形成したもので、このような態様のものでは、吊り下げ紐４の一方のループ端４２を結び止孔１６ａに挿通し、他方のループ端４３を、さらにループ端４２に挿通させて、吊り下げ紐４を鍔部に掛け止めしており、他方のループ端４３を首や腰に掛けて使用する。
【００２４】
以上のような吊り下げ紐４は、ボトル１に結び止めできるような構造であってもよく、ボトル１や、キャップ２の基部２１などにフックや孔部を形成して、そこに結びとめしたり、掛け止め出来るようにしてもよい。
【００２５】
図５，図６は、このようにして吊り下げ紐を用いてペットボトルを持ち運びする例を示している。
図５は吊り下げ紐を肩掛け態様で使用する例、図６は吊り下げ紐を首掛け態様で使用する例を示しており、いずれの態様でも、手が塞がらず、ペットボトルを持ち運びできるので利便である。
【図面の簡単な説明】
【００２６】
【図１】（ａ）は本発明のペットボトルの外観構成の一例を示す図、（ｂ）はループ状に引き伸ばされたラベルの一例を示す図
【図２】（ａ）〜（ｃ）は、ラベルを引き伸ばして構成した吊下げ紐でペットボトルを掛け止めする作業要領を示す図
【図３】（ａ）、（ｂ）は、ラベルを引き伸ばして形成した吊下げ紐でペットボトルを掛け止める態様の他例を示す図
【図４】（ａ）〜（ｃ）は、ラベルを引き伸ばして構成した吊下げ紐でペットボトルを掛け止めする作業要領を示す他例の説明図
【図５】吊下げ紐を肩掛けで使用する例を示す図
【図６】吊下げ紐を首掛けで使用する例を示す図
【符号の説明】
【００２７】
１  ペットボトル
１２  ネック部
１４、１６  鍔部
２  キャップ
３  ラベル
４  引き伸ばされて吊り下げ紐となったラベル
４１  営業販促情報
【図１】
2007197066.tif 000003
【図２】
2007197066.tif 000004
【図３】
2007197066.tif 000005
【図４】
2007197066.tif 000006
【図５】
2007197066.tif 000007
【図６】
2007197066.tif 000008